(57)【要約】【課題】  本発明は、特にレプリカ武器に一体的に装着されることを目的とし、電気エネルギー源に繋がって、圧縮空気により発射体Ｂを発射する装置に関する。【解決手段】  電磁手段（１２）を受容するシース（１０）を備え、前記電磁手段（１２）は、発射管（５０）を有する前記シース（１０）の前部（１０−１）をシールするスラストノーズ（１４）と、前記シース（１０）の後部（１０−２）をシールする尾部（１８）との間にて、前記シース（１０）の内部でピストン（３４）を移動させることを特徴とする。本発明は更に、当該装置を制御する方法にも関する。【選択図】  なし。
2018535383.tif 000002
【特許請求の範囲】
【請求項１】
レプリカ武器に一体的に装着されることを目的とし、電気エネルギー源に繋がって、圧縮空気により発射体Ｂを発射する装置であって、
電磁手段（１２）を受容するシース（１０）を備え、前記電磁手段（１２）は、発射管（５０）を有する前記シース（１０）の前部（１０−１）をシールするスラストノーズ（１４）と、前記シース（１０）の後部（１０−２）をシールする尾部（１８）との間にて、前記シース（１０）の内部でピストン（３４）を移動させることを特徴とする、装置。
【請求項２】
前記ピストン（３４）を移動させる前記電磁手段（１２）は、前記尾部（１８）と一体化している永久磁石（２４）と、前記ピストン（３４）上に配置され、前記電気エネルギー源と電気的に連結されている導線のコイル（３８）とを備えることを特徴とする、請求項１に記載の圧縮空気により発射体Ｂを発射する装置。
【請求項３】
前記シース（１０）は、前記シースのシリンダ母線に沿って配置されており、貫通スリットである、少なくとも１つのスリット（１６−１、１６−２）を備え、前記ピストン（３４）の後部から突き出されている前記コイル（３８）を形成する前記導線の端部（３８−１、３８−２）は、それぞれ前記ピストン（３４）の後部と一体化している剛性導電端子（４０−１、４０−２）に一体的に固定されていることを特徴とする、請求項１に記載の圧縮空気により発射体Ｂを発射する装置。
【請求項４】
前記シース（１０）内の可動式ピストン（３４）を移動させる前記電磁手段（１２）が、前記永久磁石に関連付けられたフィールドコンセントレータを備えることを特徴とする、請求項２又は３に記載の圧縮空気により発射体Ｂを発射する装置。
【請求項５】
前記尾部（１８）、前記永久磁石（２４）、及びフィールド板（２８）が孔（２０、２６、３０）を有することを特徴とする、請求項２、３又は４に記載の圧縮空気により発射体Ｂを発射する装置。
【請求項６】
前記フィールド板（２８）の孔と、前記尾部（１８）の裏面（２２）の孔とは、通気孔を有することを特徴とする、請求項５に記載の圧縮空気により発射体Ｂを発射する装置。
【請求項７】
前記ピストン（３４）は、前記シース（１０）の内面に対してシールを確立する手段（４６）を担持することを特徴とする、請求項１〜６のいずれか１項に記載の圧縮空気により発射体Ｂを発射する装置。
【請求項８】
前記シース（１０）の内面に対してシールを確立する手段（４６）は、少なくとも１つの周辺溝（４８）の形をしているシール動的シールであることを特徴とする、請求項７に記載の圧縮空気により発射体Ｂを発射する装置。
【請求項９】
前記スラストノーズ（１４）は、前端（５０−１）と後端（５０−２）とを有する発射管（５０）と、前記ピストン（３４）の形状と一致する形状を有するキャップ（５２）と、前記シース（１０）の内壁とのシールを確立する手段（５０）と、前記発射管（５４）を元の位置に戻す復帰手段（６４）とを備えることを特徴とする、請求項１〜８のいずれか１項に記載の圧縮空気により発射体Ｂを発射する装置。
【請求項１０】
前記復帰手段（６４）は、前記発射管（５０）に組み込まれて一部を成す前側止め具（６６）と、前記発射管に取り付けられ、前記止め具を支承するリテーナ（６８）と、２つの半殻（７０−１、７０−２）として形成され、周辺サークリップ（７４）により固定されて前記発射管（５０）の周りの封鎖を目的とする、円筒状ハウジング（７０）と、前記ハウジング（７０）の後端と前記リテーナ（６８）との間に挟まれるバネ（７２）とを備えることを特徴とする、請求項９に記載の圧縮空気により発射体Ｂを発射する装置。
【請求項１１】
前記シース（１０）及び前記尾部（１８）は、炭素含有量が非常に低い軟鉄、或いは鉄／コバルト合金から選ばれる金属からなることを特徴とする、請求項１〜１０のいずれか１項に記載の圧縮空気により発射体Ｂを発射する装置。
【請求項１２】
請求項１〜１２に記載の装置を制御する方法であって、
前記シース（１０）内の前記ピストン（３４）の前記コイル（３８）に＋／−極性の電流を供給し、前記ピストンを前記止め具に達するまで後方に平行移動させるステップと、
前記コイル（３８）に供給する電流の−／＋極性を逆転させ、前記ピストン（３４）を前記スラストノーズ（１４）に当接するまで前方に平行移動させるステップとを実行することを特徴とする、方法。
【請求項１３】
前記ピストン（３４）の前記コイル（３８）に＋／−極性の電流を供給し、前記ピストンを後方に移動させるステップと、
前記ピストン（３４）が前記止め具に当接する前に前記コイル（３８）に供給する電流の−／＋極性を逆転させ、前記ピストンを減速するステップと、
前記ピストン（３４）の前記コイル（３８）に−／＋極性の電流を供給し、前記ピストンを前方に移動させるステップと、
前記ピストン（３４）が前記スラストノーズ（１４）に当接する前に前記コイル（３８）に供給する電流の＋／−極性を逆転させ、前記ピストンを減速させるステップとを実行することを特徴とする、請求項１２に記載の装置を制御する方法。
【発明の詳細な説明】
【技術分野】
【０００１】
本発明は、電磁ピストンによって圧縮された圧縮空気を用いて発射体を発射する装置に関する。
【０００２】
本発明は更に、電磁ピストンによる圧縮を用いて発射する装置を制御する方法を含む。
【背景技術】
【０００３】
「Ａｉｒｓｏｆｔ」と呼ばれるレクリエーションスポーツは、チームゲームにレプリカの武器や発射体を使用している。
【０００４】
当該スポーツをレクリエーションやスポーツゲームの領域に留まらせるために、発射体のパワーは制限される。
【０００５】
長年に渡り、様々な構成が提案されてきた。
【０００６】
現存する構成として、圧縮ガスの貯蔵部を用い、必要に応じてガス貯蔵部から一定量の圧縮ガスを放出して発射体を押し出す方法がある。貯蔵部の大きさは多様であっても良いが、問題は容積である。容積は十分であるが圧縮容器が大きすぎるか、小容量のカートリッジを用いる代わりに可能発射回数を減らすか、二者択一を強いられてしまう。
【０００７】
更に、圧縮容器を充填するかカートリッジを購入しなければならないが、何れもあまり満足の行く方策ではない。
【０００８】
幅広く普及されているもう１つの一般的な構成といえば、電気機械手段に基づくものである。電気機械手段は、電気モータと、該モータによる駆動されるギア組、つまり所謂ギアボックスとを備える。ギア組は２つの機能を有する。スラストノーズに発射体を供給する機能、そして該発射体を圧縮空気を用いてスラストノーズから押し出す機能である。
【０００９】
スラストノーズは中空のチューブであり、固定加圧室にシール状態で連結されている。当該アセンブリは、レプリカ武器に受容されることを目的とする。
【００１０】
スラストノーズは、該スラストノーズの前方にペレットを挿入できる後方位置と、レプリカ武器のバレルに該スラストノーズが発射体を導入できる前方位置との２つに位置することができる。
【００１１】
該発射体は、通常はペレットであり、貯蔵部からスラストノーズの前方にある位置に出てくる。
【００１２】
固定加圧室は、該加圧室内で平行移動ができる可動式ピストンを備える。
【００１３】
可動式ピストンの前部は、該ピストンが内部で平行移動する固定加圧室とシールを形成する手段を担持する。ピストンの後部は、該ピストンの後部に挟まれているバネの一端を支承しており、該バネの他端は、電磁手段を全て含むハウジングの底部を支承している。
【００１４】
ギアとモータは、一般的にバネを圧縮するラックを用いて、固定加圧室内でピストンを該加圧室の後方に向かって移動させる。ピストンができるだけ遠く後方に平行移動すると、同時にバネは最大限に圧縮される。
【００１５】
ピストンを駆動するギアは無歯パッドを有する。最大圧縮の直後に該パッドが回転すると、該ギアはピストンを解放し、ピストンはバネの緩みにより前方に押し出され、加圧室に入る。この変位により、加圧室内の空気が圧縮される。これにより、スラストノーズ内の空気が大いに加速され、加速された空気が発射体、つまりバレル内のパレットを押し出すことになる。該機構は、モータに電力を供給する電池やバッテリーに蓄電できる電気エネルギーを用いるため、非常に魅力的といえる。
【００１６】
この類のエネルギーは、非常に実用的である上に、入手や再充電の容易性、自立性にも優れている。しかしながら、この場合、推力をバネに全的に依存しており、知られているように、バネの性質は、経時や温度により変化する。バネは、推力が最初に生じたときはパワーが大きくても、移動につれ最後には消失するため、推力が一定でないという大きな欠点を抱えている。
【００１７】
最後に、電気機械手段は、特に摩擦のせいで、大量のエネルギーを消費してしまう。
【００１８】
その代わりに、一定の解放出力、或いは漸増的解放出力を用いることで、慣性を相殺し、ペレットが動くと一気に加速して、言い換えれば、ペレットの加速を制御することでエネルギーの移動を最適化してパレットを射出する方法が考えられる。
【００１９】
しかしながら、同様に、バネ／ピストンの解放と、移動後のバネ／ピストンの停止は、明らかに柔軟性の損失に繋がり、発射の精度に影響を及ぼすので、当然、射手の不快感を誘ってしまう。
【００２０】
従って、当該分野は、電気エネルギーの利点をそのまま生かす、つまりできるだけ電力消費量を低減して発射回数やそれと類似のものを増やすことでレプリカ武器の重量を減らし、振動、衝撃、騒音をほぼ生じさせない機構を必要とする。
【００２１】
電気機械手段は、ギアの噛み合いにより必ず何らかの騒音を発する上に、音響増幅器のように機能する閉鎖空間内ではその傾向がより顕著であるので、射手の隠蔽を妨害するため、機構の騒音を低減すると、実際に役立つはずである。
【００２２】
当該分野は、同じエネルギー消費量で最適の出力を出す技術的性能を必要とするので、よって発射体の射出効率が向上する。
【発明の概要】
【発明が解決しようとする課題】
【００２３】
従って、本発明は、従来技術の問題を克服できる新しい特性を提供し、更には発射装置の制御方法を提供することができる。
【図面の簡単な説明】
【００２４】
本発明の装置、並びにその制御方法につき、特定の実施形態を以って詳細に説明するが、本発明は当該実施形態に限定される訳ではない。当該説明は、添付の図面を参照して行われる。各図は、以下のようになる。
【図１】本発明による発射装置の斜視図。
【図２】図１の装置における様々な構成要素の分解図。
【図３】可動式ピストン、コア、フィールドコンセントレータの分解詳細図。
【図４】電磁発射手段の組立て後の詳細断面図。
【図５】スラストノーズの分解斜視図。
【図６】スラストノーズの組立て後の断面図
【図７】本発明による電磁発射装置の動作を示す基本ブロック図。
【図８】本発明による電磁発射装置の制御方法を説明する段階図。
【図９】作動中の磁束の説明図。
【図１０】フィールド板と尾部における通気孔の第１実施形態。
【図１１】フィールド板と尾部における通気孔の第２実施形態。
【発明を実施するための形態】
【００２５】
本発明を、図１及び図２を参照しながら説明し、本発明による電磁発射装置の構成部品を規定する。
【００２６】
これらの構成要素は、レプリカ武器となるハウジングに組み込むことを目的として設計したものである。レプリカ武器は、本発明による発射装置により射出される発射体を誘導する少なくとも１つのバレルを備える。
【００２７】
電気エネルギー源（図示せず）は、本発明の発射装置に作動可能に連結されていなければならないが、該エネルギー源は本発明の一部ではなく、当業者の裁量に任せる。
【００２８】
図示のシース１０は、可動電磁手段１２とスラストノーズ１４とを受容する。
【００２９】
シース１０は、直径Ｄ１の円筒形内側形状を有する。シースの材質としては、炭素含有量の非常に低い軟鉄、或いは鉄／コバルト合金が好ましい。
【００３０】
シースの前端１０−１の近傍には、環状溝１０−３がシースの内壁に形成されている。
【００３１】
一実施形態によると、シース１０はそれぞれシースのシリンダ母線に沿って配置されている、つまり平行に並んでいる少なくとも１つのスリットを備える。この場合は、スリット１６−１、１６−２の２つである。これらのスリットは貫通スリットであり、シースの内部に位置し、該シースの外側と連通する。
【００３２】
スリット１６−１、１６−２は、長さＬを有し、シース１０の後端１０−２から略延在する。
【００３３】
シース１０は、図３〜５に詳細に図示されているように、電磁発射手段１２を受容する。電磁手段１２は、シース１０の後端１０−２に、炭素含有量の非常に低い軟鉄、或いは鉄／コバルト合金からなる尾部１８を備える。該尾部は、Ｄ１より大きい直径Ｄ２の旋削部分によりシース１０の後端に固定され、シースを厚さ方向に受け止めるので、図１に示されているように、外径Ｄ１がシースの外径Ｄ１と同じになる。
【００３４】
尾部１８は、Ｄ２より大きい直径Ｄ３の第２旋削部分を備え、循環空間である空間Ｅを生成する。
【００３５】
好ましい実施形態において、該尾部１８は、直径ｄの軸方向通過孔２０を有するのが好ましい。該孔は、尾部の前側２０−１と背側２０−２との間に通じている。尾部の背面２２は、装置の裏部を構成する。電磁手段１２は更に、尾部１８に取り付けられ一体的に固定されている永久磁石２４を備える。該永久磁石は、Ｄ３と同じ直径を有する円筒形バーの形状を取っている。
【００３６】
永久磁石２４は、磁石２４の前端が尾部１８の背面２２から距離Ｌ１だけ離れるほどの長さを有する。
【００３７】
永久磁石２４は軸方向に磁化されている。つまり、バーの前端はＮ極を、後端はＳ極を構成する。
【００３８】
永久磁石２４には、やはり直径ｄの中央軸方向孔２６が穿孔されている。
【００３９】
フィールド板２８は、永久磁石２４に取り付けられている。フィールド板２８は軟鉄からなり、外径Ｄ３を有する環状に形成されている。フィールド板２８には、やはり直径ｄを有する中央軸方向孔が穿孔されている。
【００４０】
当該スタックは、例えばエラストマーからなる環状のダンパー３２を備える。該ダンパーは、フィールド板２８に取り付けられ、同じ外径を有する。この環にも中央孔がある。
【００４１】
電磁発射手段１２は、ピストン３４により完成される。当該ピストンは円筒形の断面、並びにＤ２−ｅの外径とＤ３＋ｅの内径を有する。ここでｅは、ギャップ、又はクリアランスである。よって、ピストン３４の厚さは、クリアランスｅだけ離れている循環空間Ｅと略同じになる。
【００４２】
ピストンは、シース１０の内部に前方ガイド領域３４−１と、後方ガイド領域３４−２とを備える。
【００４３】
前方ガイド領域３４−１と後方ガイド領域３４−２の間には、旋削部分３６がピストン上に形成され、少なくとも１つの層において、例えば銅やアルミニウムの導線からなるコイル３８を受容する。
【００４４】
当該コイル３８を形成する導線の端部３８−１及び３８−２は、ピストンの後部に突出し、例えば剛性導電端子４０−１、４０−２によって、それぞれ電気エネルギー源（図示せず）に接続する。該接続は例えば、電気エネルギー源と剛性導電端子とを接続する可撓性編組コネクタ４２−１、４２−２により成される。
【００４５】
電気的接続に加えて、剛性端子４０は、機械的ガイドや回転防止効果を提供するが、これは端子４０がスリット１６−１、１６−２を通過するように設計されているためである。
【００４６】
前方ガイド領域３４−１の上流側、つまりピストン３４の前方には、該ピストン３４の一部として形成されているピストンヘッド４４がある。
【００４７】
該ヘッド４４は、最大直径φの丸い端部を有するニップル状である。
【００４８】
ニップル状は、優れた空気透過係数を有する。
【００４９】
シース１０の内面に対してシールを確立する手段４６は、該ピストン３４に担持されている。シール手段４６は、少なくとも１つの区画シールであっても良く、この場合のように、動的シールであっても良い。
【００５０】
動的シールでは、少なくとも１つの周辺溝４８（本実施形態では前方ガイド領域３４−１に沿う３つの溝）を、ピストンとシースの内面との空間が最小ｅである領域に設ける。これらの溝は不規則的に離隔されており、異なる深度を持って漏れを除去する低圧領域を生成しても良い。これらの溝により、区画又はシールの機械的摩擦を回避することができる。
【００５１】
スラストノーズ１４は、図５及び図６に詳細に示されているように、前端５０−１と後端５０−２とを有する発射管５０を備える。
【００５２】
後端は、該発射管の一部を成すキャップ５２を担持し、該キャップは、ピストン３４の形状、特にピストン３４のヘッド４４の形状と一致する形状を有し、更に、前記ピストンを収容できるようにφより大きい直径Φを有する。
【００５３】
該キャップ５２は、シース１０の内面と共にシールを確立する手段５４を備える。当該手段５４は、少なくとも１つの周辺溝の形を取り（本実施形態では溝５４−１及び５４−２）、それぞれは、Ｏリング型シールの５６−１及び５６−２であるシール５６を受容することを目的とする。
【００５４】
Ｏリングはシース１０の内面と共にシールを確立する。キャップ５２は、ピストンのヘッド４４を受容し、補強材５８は、特に図７に示される接触面に面して配置される。
【００５５】
Ｏリング型シール６０は、発射管５０の後端５０−２にて内壁に形成された溝６２内に配置される。該領域は、図６に示されているように、補強材５８により補強されていても良い。
【００５６】
シール６０の内径はピストンのヘッド４４の前先端の内径より小さく、前先端とのシールがより確実なものとなる。
【００５７】
スラストノーズ１４は更に、スラストノーズ１４を元の位置に戻す復帰手段６４を備える。
【００５８】
復帰手段６４は、発射管に組み込まれて一部を成す前側止め具６６と、発射管に取り付けられ、該止め具を支承するリテーナ６８と、２つの半殻７０−１、７０−２として形成され、発射管５０の周りの封鎖を目的とする円筒状ハウジング７０と、ハウジング７０の後端とリテーナ６８との間に挟まれるバネ７２とを備える。
【００５９】
円筒状ハウジング７０の半殻２つは、位置付けピンにより、更には溝７６に収容された周辺サークリップ７４により、適所に保持されている。
【００６０】
該構成を、図７に示す。
【００６１】
基本的な動作の概要は、これらの図面に示されている。
【００６２】
図７Ａにおいて、シースはスラストノーズ、より具体的にはキャップ５２を受容する。ハウジング７０は、シースに形成された溝１０−３と係合するサークリップ７４により、シース内で平行移動不能に保持される。
【００６３】
ピストン３４は前方にあり、ピストン３４のヘッド４４は、キャップ５２の内側に嵌合している。ヘッド４４の前先端は、発射管５０の後部５０−２の内部に担持されたシール６０に挿入される。
【００６４】
バネ７２は発射管を前方に押し出す。
【００６５】
ピストン３４は、磁石２４、コンセントレータ２８、ダンパー３２を部分的に取り囲む後部３４−２を有する。
【００６６】
図７Ｂにおいて、ピストンのコイル３８に＋／−極性の電流を供給すると、生成された場がピストン３４を後方に移動させる後方出力を発生させる。
【００６７】
ピストンが後退すると、ヘッド４４の前方と発射管５０内部の空気圧が低くなる一方、シール６０上に摩擦が生じて、発射管５０はバネ７２の復帰力に抗って後退する。それによって、発射管５０の前端の前方にパレットＢが導入される。
【００６８】
ピストン３４が後退する際に、ピストンの後部における加圧室からの空気は、直径ｄの一連の孔２０、２６，３０を通り抜け（減衰リングも通り抜ける）排出される。
【００６９】
図７Ｃにおいて、ピストン３４はできるだけ後方に後退しており、ピストン３４のヘッド４４の内部は、ダンパー３２に当接する。
【００７０】
シール手段４６は自らの役割を果たしており、ピストンは、後退段階において、ガイド領域３４−１及び３４−２によりヒース１０内に完璧にガイドされている。
【００７１】
当該段階にて、極短距離（ペレットＢの略直径）だけ後退した後、発射管５０は、バネ７２により前方に持ち出され、ペレットは発射管５０の前端５０−１の直前に位置決めされる。
【００７２】
一般的に、バレル内のシールはペレットを定位置に保持するので、レプリカ武器のみの動きにより変位することはない。
【００７３】
ペレットＢは、発射管の端部の前方にそのまま残る。
【００７４】
図７Ｄにおいて、電流の極性が−／＋に逆転されると、電力供給の際に、該ピストンのコイル３８と永久磁石２４がほぼ完全に重なることにより、ピストン３４は大きな力で前方へ移動する。
【００７５】
圧縮空気を受け止めたペレットＢは射出され、動きは加速する。
【００７６】
ピストンの平行移動中に、ピストン３４のシール手段４６と、キャップ５２のシール５６−１、５６−２により形成されたシールにより、空気が圧縮される。
【００７７】
ピストンがピストンキャップに当接するまで前進するにつれ、図７Ｅに図示されるように、速度は増加し圧力が維持される。これによって、高速で射出されたペレットが押し出され、ピストンが能動的に変位する間に一定の加速度が得られる。
【００７８】
これにより、ほぼ９０％の優れたエネルギー効率を得る。図８は、前述した装置の制御方法の作動段階を示している。
【００７９】
図８において、段階ａは空気圧縮段階に相当する。ピストンは一定を維持する加速段階において前方に移動する。ピストンがピストンキャップに当接する直前に電流の極性を逆転する制動段階ｂが続く。次に、ピストンは段階ｃにおいて徐々に後退し、極小量のエネルギーのみを消耗する。段階ｄにて、ピストンの後退動作は、最初の位置の復帰する直前に制動される。
【００８０】
ピストンの動作は完璧に管理制御され、ストロークの最後まで一定の加速度を維持するので、エネルギー消費量が低減する。
【００８１】
またこれにより、武器や射撃後の反動硬化に著しい影響を及ぼさず、射撃と他の段階にて良好な感じを維持しながら、動きの柔軟性を確保することができる。
【００８２】
磁力線や誘起力を図９にて図解し、現象をより視覚化した。
【００８３】
効率の向上のために、特に図１０及び図１１に図示した通気孔の様々な変形例を以って、損失を低減する。
【００８４】
当該通気孔は、コンセントレータ２８の孔３０の縁部と、尾部１８の出口とに形成される。
【００８５】
通気孔は、ピストンの後方平行移動中に生じる装置からの空気の排出と、同ピストンの前方平行移動中に生じる装置の外側からの空気の流入を促進する。一定ではない孔から出るときのように乱流は生じず、抗力も発生しないので、エネルギー損失や過剰なエネルギー消費も起きない。
【００８６】
同様に、ピストンヘッドをニップル状にして移動中に空気の浸透を良好にすることもできるが、浸透を改善できるなら形状に制限はないので、空気力学研究の結論に基づき、当業者に既知のものであればどのようなものであっても良い。
【００８７】
ピストンの材質は、重量の低減と磁界の干渉の制限を目的として、効率を最大まで高める複合材料から選んでも良い。
【００８８】
別の構成によると、コイル３８の導線の端部は尾部１８を貫通して形成された通路を通り抜けても良く、シースに設けられるスリットを省略しても良い。
【００８９】
前述した極性は、極性の逆転を示すために＋／−や−／＋と記載したが、方向は実施形態に適合に選ぶことができ、永久磁石の配向は、移動方向、特に極性の選択に合わせて選択すれば良い。
【図１】
2018535383.tif 000003
【図２】
2018535383.tif 000004
【図３】
2018535383.tif 000005
【図４】
2018535383.tif 000006
【図５】
2018535383.tif 000007
【図６】
2018535383.tif 000008
【図７】
2018535383.tif 000009
【図８】
2018535383.tif 000010
【図９】
2018535383.tif 000011
【図１０】
2018535383.tif 000012
【図１１】
2018535383.tif 000013
【国際調査報告】
2018535383.tif 000014
2018535383.tif 000015
2018535383.tif 000016
2018535383.tif 000017
2018535383.tif 000018
2018535383.tif 000019